(57)【特許請求の範囲】
【請求項１】
ブレード及びハンドルが、ブレードがハンドル内に配置又は収容された閉刃状態とブレードがハンドルに対して最大限開かれた開刃状態との間を相互に移行できるように、互いに回動可能に接続されて成るナイフであって、閉刃状態のナイフを所定の入れ物又は衣服のポケットから取り出すときにブレード側の突起部が前記入れ物又はポケットの一部に引っ掛かることによりブレードがハンドルから出て開かれるようにした折り畳み式ナイフにおいて、
前記ブレードとの間において所定の回動角度内では相対的に回動可能であり且つ前記所定の回動角度以外では前記ブレードと一緒に前記ハンドルに対して回動するように、前記ブレード及び前記ハンドルに取り付けられた可動片と、
前記ブレードの背側の回動軸部に近い位置に形成された切り欠き又は窪み部と、
前記可動片の、前記ブレードの切り欠き又は窪み部に対応する位置及び形状に形成された突起部であって、開刃状態のとき前記ブレードの切り欠き又は窪み部内に配置又は収容可能な突起部と、
前記ハンドル、前記ブレード及び前記可動片を１つの回動軸部により互いに接続し、前記ブレード及び前記可動片を前記ハンドルに対し相対的に回動可能とし、前記可動片を前記ブレードに対し所定の回動角度内においてだけ相対的に回動可能とする回動機構部であって、開刃状態では前記突起部が前記ブレードの切り欠き又は窪み部の内部に配置又は収容されるように、閉刃状態では前記突起部が前記ブレードの切り欠き又は窪み部の外部に配置されるように、前記可動片を前記ブレードに対し相対的に回動させる回動機構部と
を備えたことを特徴とする折り畳み式ナイフ。
【請求項２】
前記回動機構部は、
前記ハンドル側の一部に固定又は形成されたストッパと、
前記可動片側に固定又は形成された第１のストッパ当接部であって、前記ブレードが閉刃状態にあるとき、前記ストッパに当接することにより、前記突起部が前記ブレードの切り欠き又は窪み部の外部に配置されるように、前記可動片の、前記ブレードが開刃状態から閉刃状態へと回動する閉刃方向への回動を、阻止する第１のストッパ当接部と、
前記可動片側に固定又は形成された第２のストッパ当接部であって、前記ブレードが開刃状態にあるとき、前記ストッパに当接することにより、前記突起部が前記ブレードの切り欠き又は窪み部の内部に配置又は収容されるように、前記可動片の、前記ブレードが閉刃状態から開刃状態へと回動する開刃方向への回動を、阻止する第２のストッパ当接部と、
を備えたことを特徴とする請求項１に記載の折り畳み式ナイフ。
【請求項３】
前記切り欠き又は窪み部は、前記ブレード中の前記回動軸部の近傍の位置であって刃先の反対側の位置に形成されており、前記突起部は、前記切り欠き又は窪み部と対応する形状に形成されていることを特徴とする請求項１又は２に記載の折り畳み式ナイフ。
【請求項４】
前記突起部は、前記ブレードが閉刃状態にあるとき、前記ブレードの切り欠き又は窪み部に対して、前記ブレードが閉刃状態から開刃状態へと回動する開刃方向に所定角度だけ離れた位置に、配置されていることを特徴とする請求項１，２又は３に記載の折り畳み式ナイフ。
【請求項５】
ブレード及びハンドルが、ブレードがハンドル内に配置又は収容された閉刃状態とブレードがハンドルに対して最大限開かれた開刃状態との間を相互に移行できるように、互いに回動可能に接続されて成るナイフであって、閉刃状態のナイフを所定の入れ物又は衣服のポケットから取り出すときにブレード側の突起部が前記入れ物又はポケットの一部に引っ掛かることによりブレードがハンドルから出て開かれるようにした折り畳み式ナイフにおいて、
前記ブレード中の刃先の反対側の位置に形成された切り欠き又は窪み部と、
前記ハンドルに対して回動可能であるだけでなく前記ブレードに対しても部分的に回動可能に接続された可動片と、
前記可動片中の突起部であって、前記ブレードが閉刃状態にあるとき、前記切り欠き又は窪み部と対向する位置であって前記切り欠き又は窪み部に対して前記ブレードが閉刃状態から開刃状態へと回動する開刃方向に所定角度だけ離れた位置に配置されるように、且つ前記切り欠き又は窪み部と対応する形状となるように、前記可動片中に形成された突起部と、
前記可動片を前記ブレードに対して部分的に連動させながら回動させる回動機構部と、を備えており、
前記回動機構部は、（ａ）前記ブレードがハンドル内に配置されている閉刃状態においては、前記可動片に形成された突起部を、前記ブレードの回動軸部に近い背側に形成された切り欠き又は窪み部に対して、前記ブレードが閉刃状態から開刃状態へ回動する開刃方向に所定の回動角度だけ離れた位置に配置して保持し、（ｂ）前記ブレードが閉刃状態から開刃状態に移行する途中又は前記ブレードが開刃状態から閉刃状態に移行する途中においては、前記可動片を、所定の回動角度内では前記ブレードに対し相対的に回動可能とすると共に前記所定の回動角度以外では前記ブレードと一緒に前記ハンドルに対して回動させ、（ｃ）前記ブレードがハンドルに対して最大限開かれている開刃状態においては、前記可動片の突起部を、前記ブレードの切り欠き又は窪み部の内部に配置又は収容させるものである、ことを特徴とする折り畳み式ナイフ。
【発明の詳細な説明】
【技術分野】
【０００１】
本発明は、ナイフを所定の入れ物又は衣服のポケットから取り出すときにブレード側の突起が入れ物（容器）又はポケットの一部に引っ掛かることによりブレードが開かれるようにした折り畳み式ナイフに関する。
【背景技術】
【０００２】
従来より、ベルトなどに取り付けるポーチなどの入れ物又は衣服のポケットの中に入れているナイフを取り出すとき、ナイフのブレード側の突起が入れ物又はポケットの一部に引っ掛かることにより自動的にブレードがハンドルから開かれるようにした折り畳み式ナイフが知られている。
【０００３】
図５はこのようなナイフの一例を示す図であって、米国特許第５，８７８，５００号公報に記載された図面の一部を修正して引用した図である。図５に示すナイフにおいては、ブレード（図５の符号１４）の回転軸近傍の背側部分に突起（図５の符号２２，２４）が形成されている。このナイフは、ブレードがハンドル（図５の符号１２）内に配置された閉刃状態で、ポーチなどの入れ物（図５の符号３２）に収容されている。図５に示す例においては、閉刃状態の前記ナイフを入れ物から取り出すとき、前記ブレードの一部に形成された突起が前記入れ物の一部に引っ掛かる。前記突起が前記入れ物の一部に引っ掛かることにより、前記突起が形成されたブレードの全体が回動してハンドルから外部に出て、前記ブレードが前記ハンドルに対して最大限開かれた開刃状態へと、自動的に移行する。
【先行技術文献】
【特許文献】
【０００４】
【特許文献１】米国特許第５，８７８，５００号公報
【発明の概要】
【発明が解決しようとする課題】
【０００５】
しかしながら、図５に示すような、ブレードの一部に突起を形成しておき、その突起が入れ物又はポケットの一部に引っ掛かるようにしてブレードをハンドルから自動的に開くようにした従来の折り畳みナイフにおいては、ブレードがハンドルから最大限開かれた開刃状態になったとき、図５（ｂ）に示すように、前記突起（図５の符号２２，２４）が前記ブレードの背側に存在することになる。そのため、例えば、ユーザーが、肉などの被切断物を切断しようとして、ユーザーが親指をブレードの背側に添えて、上方から前記ブレードを押し下げようとしたとき（図５（ｂ）の符号Ｆ参照）、ユーザーの親指が前記突起に当たって痛みが生じるため、ユーザーが十分に力を入れて前記ブレードの背側を押し下げることができないという問題があった。
【０００６】
本発明はこのような従来技術の問題点に着目して為されたものであって、閉刃状態のナイフを所定の入れ物又は衣服のポケットから取り出すときにブレード側の突起が前記入れ物又はポケットの一部に引っ掛かることによりブレードがハンドルの外部に出て開かれるようにした折り畳み式ナイフにおいて、ブレードがハンドルから最大限開かれた開刃状態になったときでも、ユーザーが親指をブレードの背側に添えてナイフを上方から押し下げようとしたときに前記ブレード側の突起がユーザーの親指に当たってしまうという問題を、回避することができる折り畳みナイフを提供することを目的とする。
【課題を解決するための手段】
【０００７】
以上のような課題を解決するための本発明による折り畳み式ナイフは、ブレード及びハンドルが、ブレードがハンドル内に配置又は収容された閉刃状態とブレードがハンドルに対して最大限開かれた開刃状態との間を相互に移行できるように、互いに回動可能に接続されて成るナイフであって、閉刃状態のナイフを所定の入れ物又は衣服のポケットから取り出すときにブレード側の突起部が前記入れ物又はポケットの一部に引っ掛かることによりブレードがハンドルから出て開かれるようにした折り畳み式ナイフにおいて、前記ブレードとの間において所定の回動角度内では相対的に回動可能であり且つ前記所定の回動角度以外では前記ブレードと一緒に前記ハンドルに対して回動するように、前記ブレード及び前記ハンドルに取り付けられた可動片と、前記ブレードの背側の回動軸部に近い位置に形成された切り欠き又は窪み部と、前記可動片の、前記ブレードの切り欠き又は窪み部に対応する位置及び形状に形成された突起部であって、開刃状態のとき前記ブレードの切り欠き又は窪み部内に配置又は収容可能な突起部と、前記ハンドル、前記ブレード及び前記可動片を１つの回動軸部により互いに接続し、前記ブレード及び前記可動片を前記ハンドルに対し相対的に回動可能とし、前記可動片を前記ブレードに対し所定の回動角度内においてだけ相対的に回動可能とする回動機構部であって、開刃状態では前記突起部が前記ブレードの切り欠き又は窪み部の内部に配置又は収容されるように、閉刃状態では前記突起部が前記ブレードの切り欠き又は窪み部の外部に配置されるように、前記可動片を前記ブレードに対し相対的に回動させる回動機構部とを備えたことを特徴とするものである。
【０００８】
また、本発明による折り畳み式ナイフにおいて、前記回動機構部は、前記ハンドル側の一部に固定又は形成されたストッパと、前記可動片側に固定又は形成された第１のストッパ当接部であって、前記ブレードが閉刃状態にあるとき、前記ストッパに当接することにより、前記突起部が前記ブレードの切り欠き又は窪み部の外部に配置されるように、前記可動片の、前記ブレードが開刃状態から閉刃状態へと回動する閉刃方向への回動を、阻止する第１のストッパ当接部と、前記可動片側に固定又は形成された第２のストッパ当接部であって、前記ブレードが開刃状態にあるとき、前記ストッパに当接することにより、前記突起部が前記ブレードの切り欠き又は窪み部の内部に配置又は収容されるように、前記可動片の、前記ブレードが閉刃状態から開刃状態へと回動する開刃方向への回動を、阻止する第２のストッパ当接部とを備えるようにしてもよい。
【０００９】
また、本発明による折り畳み式ナイフにおいて、前記切り欠き又は窪み部は、前記ブレード中の前記回動軸部の近傍の位置であって刃先の反対側の位置に形成されており、前記突起部は、前記切り欠き又は窪み部と対応する形状に形成されていてもよい。
【００１０】
また、本発明による折り畳み式ナイフにおいて、前記突起部は、前記ブレードが閉刃状態にあるとき、前記ブレードの切り欠き又は窪み部に対して、前記ブレードが閉刃状態から開刃状態へと回動する開刃方向に所定角度だけ離れた位置に、配置されていてもよい。
【００１１】
さらに、本発明による折り畳み式ナイフは、ブレード及びハンドルが、ブレードがハンドル内に配置又は収容された閉刃状態とブレードがハンドルに対して最大限開かれた開刃状態との間を相互に移行できるように、互いに回動可能に接続されて成るナイフであって、閉刃状態のナイフを所定の入れ物又は衣服のポケットから取り出すときにブレード側の突起部が前記入れ物又はポケットの一部に引っ掛かることによりブレードがハンドルから出て開かれるようにした折り畳み式ナイフにおいて、前記ブレード中の刃先の反対側の位置に形成された切り欠き又は窪み部と、前記ハンドルに対して回動可能であるだけでなく前記ブレードに対しても部分的に回動可能に接続された可動片と、前記可動片中の突起部であって、前記ブレードが閉刃状態にあるとき、前記切り欠き又は窪み部と対向する位置であって前記切り欠き又は窪み部に対して前記ブレードが閉刃状態から開刃状態へと回動する開刃方向に所定角度だけ離れた位置に配置されるように、且つ前記切り欠き又は窪み部と対応する形状となるように、前記可動片中に形成された突起部と、前記可動片を前記ブレードに対して部分的に連動させながら回動させる回動機構部と、を備えており、前記回動機構部は、（ａ）前記ブレードがハンドル内に配置されている閉刃状態においては、前記可動片に形成された突起部を、前記ブレードの回動軸部に近い背側に形成された切り欠き又は窪み部に対して、前記ブレードが閉刃状態から開刃状態へ回動する開刃方向に所定の回動角度だけ離れた位置に配置して保持し、（ｂ）前記ブレードが閉刃状態から開刃状態に移行する途中又は前記ブレードが開刃状態から閉刃状態に移行する途中においては、前記可動片を、所定の回動角度内では前記ブレードに対し相対的に回動可能とすると共に前記所定の回動角度以外では前記ブレードと一緒に前記ハンドルに対して回動させ、（ｃ）前記ブレードがハンドルに対して最大限開かれている開刃状態においては、前記可動片の突起部を、前記ブレードの切り欠き又は窪み部の内部に配置又は収容させるものである。
【発明の効果】
【００１２】
本発明においては、前記ブレード及び前記可動片を前記ハンドルに対し相対的に回動可能とし、さらに、前記可動片を前記ブレードに対し所定の回動角度だけ相対的に回動可能とする回動機構部を備えるようにし、前記回動機構部が、開刃状態では前記突起部が前記ブレードの切り欠き又は窪み部の内部に配置又は収容されるように、閉刃状態では前記突起部が前記ブレードの切り欠き又は窪み部の外部に配置されるように、前記可動片を前記ブレードに対し所定の回動角度内だけ相対的に回動できるようにしている。よって、本発明によれば、前記ブレードが前記ハンドルから最大限開かれた開刃状態になったとき、前記可動片の突起部が、前記ブレードの切り欠き又は窪み部の内部に配置又は収容されるようにできるので、従来の折り畳み式ナイフにおいて生じていた、ユーザーが親指を開刃状態のブレードの背側に添えてナイフを上方から押し下げようとしたときに前記ブレード側の突起がユーザーの親指に当たってしまうという問題を、有効に回避できるようになる。
【００１３】
また、本発明において、前記可動片側に、前記ブレードが閉刃状態にあるとき、前記ハンドル側のストッパに当接することにより、前記突起部が前記ブレードの切り欠き又は窪み部の外部に配置されるように、前記可動片の閉刃方向への回動を阻止する第１のストッパ当接部と、前記ブレードが開刃状態にあるとき、前記ハンドル側のストッパに当接することにより、前記突起部が前記ブレードの切り欠き又は窪み部の内部に配置又は収容されるように、前記可動片の開刃方向への回動を阻止する第２のストッパ当接部とを備えるようにしたときは、前記ブレードが閉刃状態にある場合には前記突起部を確実に前記ブレードの切り欠き又は窪み部の外部に配置させると共に、前記ブレードが開刃状態にある場合には前記突起部を確実に前記ブレードの切り欠き又は窪み部の内部に配置又は収容させることができるようになる。
【００１４】
また、本発明において、前記切り欠き又は窪み部を、前記ブレード中の前記回動軸部の近傍の位置であって刃先の反対側の位置に形成し、前記突起部を、前記可動片中の前記切り欠き又は窪み部と対向する位置に、前記切り欠き又は窪み部と対応する形状となるように、形成するようにしたときは、前記ブレードが閉刃状態から開刃状態へと移行し終わったとき、前記突起部が前記切り欠き又は窪み部の内部に確実に配置又は収容されるようになる。
【００１５】
また、本発明において、前記ブレードが閉刃状態にあるとき、前記突起部を前記ブレードの切り欠き又は窪み部よりも開刃方向に所定角度だけ離れた位置に配置するようにしたときは、ユーザーがナイフを入れ物又はポケットから取り出すとき、前記突起部が前記入れ物又はポケットの一部に確実に引っ掛かり、その結果、前記ブレードが、前記ハンドルから出るように回動されるようになる。
【００１６】
さらに、本発明においては、回動機構部が、（ａ）前記ブレードがハンドル内に配置又は収容されている閉刃状態においては、前記可動片に形成された突起部を、前記ブレードの回動軸部に近い背側に形成された切り欠き又は窪み部に対して開刃方向に所定の回動角度だけ離れた位置に配置して保持し、（ｂ）前記ブレードが閉刃状態から開刃状態に移行する途中の過程又は前記ブレードが開刃状態から閉刃状態に移行する途中の過程においては、前記可動片を、所定の回動角度内では前記ブレードに対し相対的に回動可能とすると共に前記所定の回動角度以外では前記ハンドルに対し前記ブレードと一緒に回動させ、（ｃ）前記ブレードがハンドルに対して最大限開かれている開刃状態においては、前記可動片の突起部を、前記ブレードの切り欠き部の内部に配置又は収容させるようにしている。したがって、本発明によれば、前記ブレードが前記ハンドルから最大限開かれた開刃状態になったとき、前記ブレード側の突起部は前記ブレードの切り欠き又は窪み部の内部に配置又は収容できるようになる。よって、本発明によれば、従来の折り畳み式ナイフにおいて生じていた、ユーザーが開刃状態にあるブレードを上方から親指を添えて押し下げようとするときにブレードの背側の突起がユーザーの親指に当たってしまうという不都合を、有効に回避できるようになる。
【図面の簡単な説明】
【００１７】
【図１】本発明の実施形態１に係る、閉刃状態にある折り畳み式ナイフを説明するための図で、（ａ）は本実施形態１の全体を示す概略側面図、（ｂ）はブレードと可動片を示す側面図、（ｃ）はブレードと可動片を示す斜視図である。
【図２Ａ】本実施形態１に係る、閉刃状態から開刃状態に移行する途中の過程にある折り畳み式ナイフを説明するための図で、その全体を示す概略側面図である。
【図２Ｂ】本実施形態１に係る、閉刃状態から開刃状態に移行する途中の過程にある折り畳み式ナイフを説明するための図で、（ａ）はブレードと可動片を示す側面図、（ｂ）はブレードと可動片を示す斜視図である。
【図３】本実施形態１に係る、開刃状態にある折り畳み式ナイフを説明するための図で、（ａ）は本実施形態１の全体を示す概略側面図、（ｂ）はブレードと可動片を示す側面図、（ｃ）はブレードと可動片を示す斜視図である。
【図４】本発明の実施形態２に係る、開刃状態にある折り畳み式ナイフを説明するための概略側面図である。
【図５】従来の、ブレードの一部に突起を形成しておき、入れ物又はポケットからナイフを取り出すとき、前記突起が前記入れ物又はポケットの一部に引っ掛かることによりブレードがハンドルから自動的に開かれるように構成された、折り畳み式ナイフを説明するための図である。
【発明を実施するための形態】
【００１８】
〔第１の実施形態〕
以下、本発明の実施形態を図面を用いて説明する。図１は閉刃状態にある本実施形態１の折り畳み式ナイフを説明するための図、図２Ａ及び図２Ｂは閉刃状態から開刃状態に移行する途中の過程にある本実施形態１の折り畳み式ナイフを説明するための図、図３は開刃状態にある本実施形態１の折り畳み式ナイフを説明するための図である。
【００１９】
図１−３において、１は折り畳み式ナイフ、２は回動軸部、３はハンドル、３ａは前記ハンドル３中の前記回動軸部２の近傍の位置に設けられたピン（ストッパ）、４は前記ハンドル３に前記回動軸部２を介して接続されたブレード、４ａは前記ブレード４中の前記回動軸部２の近傍の位置であって前記ブレード４の刃先と反対側（背側）の位置に形成された所定形状の切り欠き部、４ｂ（図１（ｂ）など参照）は前記ブレード４中の前記回動軸部２の近傍の前記ブレード４の刃先側の位置に形成され前記回動軸部２と同心円の曲面状に形成された曲面部、５は前記ハンドル３及び前記ブレード４に前記回動軸部２を介して接続された可動片、５ａは前記可動片５中の前記切り欠き部４ａと対向する位置に前記切り欠き部４ａと対応する形状（前記切り欠き部４ａ内に配置又は収容可能な形状）に形成された突起部、５ｂは前記可動片５中の前記突起部５ａと略反対側の位置に形成された突状のフリップタブ（第１のストッパ当接部）、５ｃは前記可動片５中の前記突起部５ａの開刃方向（図１（ａ）の矢印Ａ方向）の近傍の位置に形成された当接部（第２のストッパ当接部）、５ｄは前記可動片５中の曲面部であって前記ブレード４側の曲面部に当接し得る曲面状に形成された曲面部である。
【００２０】
なお、図１（ａ）では、前記ハンドル３は、図示手前側が透過されて内部のブレード４及び可動片５が見えるように、図示されている。すなわち、閉刃状態においては、前記ブレード４及び可動片５は前記ハンドル３の中央の溝部内に収容されている（図６（ａ）参照）が、図１（ａ）では、前記ハンドル３の図示手前側を透過させて、前記ハンドル３の内部に収容された前記ブレード４及び可動片５が見えるように、図示している。
【００２１】
本実施形態１では、例えばステンレス鋼材を削り出して形成されたブレード４と、例えばチタン合金を削り出して形成された可動片５と、例えばチタン合金を削り出して形成されたライナーの外側に合成樹脂製カバーが貼り付けられて成るハンドル３とが、図１（ａ）に示すように、前記回転軸部２により接続、連結されている。
【００２２】
また、本実施形態１において、前記ブレード４は、前記ハンドル３に対して約０度から約１８０度までの範囲内において回動可能となるように、前記回動軸部２により前記ハンドル３に接続されている。また前記可動片５は、前記ブレード４とは別体に構成されている。前記可動片５は、前記回動軸部２を介して前記ブレード４及び前記ハンドル３に取り付けられている。
【００２３】
また、本実施形態１において、前記フリップタブ５ｂは、図１に示すように、前記可動片５が回動して閉刃状態となるときに、前記ハンドル側のピン３ａ（ストッパ）に対し当接可能となるように配置されている。また、前記当接部５ｃは、図３に示すように、前記可動片５が回動して開刃状態となるときに、前記ハンドル側のピン３ａ（ストッパ）に対し当接可能となるように配置されている。
【００２４】
また、本実施形態１では、前記可動片５中の突起部５ａは、前述のように、前記ブレード４中の切り欠き部４ａ内に配置又は収容可能な位置に、且つ前記ブレード４中の切り欠き部４ａ内に配置又は収容可能な形状であるように、形成されている。また、本実施形態１では、前記突起部５ａは、図１に示す閉刃状態においては、前記ブレード４の切り欠き部４ａに対して、開刃方向（図２Ａ及び図２Ｂの矢印Ａ方向）に所定の回動角度（図１（ａ）の符号α参照）だけ離れた位置に、形成されている。
【００２５】
また、本実施形態１においては、図２Ａ及び図２Ｂなどに示すように、前記可動片５中の前記ブレード４の背側に対向する端部と、前記ブレード４の背側の前記可動片５に対向する端部とは、互いに僅かな隙間（図１（ｂ）の符号αで示す回動角度に対応する略扇状の隙間）を介して対向している。これにより、前記可動片５と前記ブレード４とは、前記隙間の範囲内だけ、すなわち所定の回動角度内、例えば１０〜２０度（図１（ｂ）の符号αを参照）の回動角度内においてだけは、互いに相対的に回動できるように構成されている。
【００２６】
また、本実施形態１では、図２Ａ及び図２Ｂなどに示すように、上記の所定の回動角度、例えば１０〜２０度（図１（ｂ）の符号αを参照）の回動角度以外では、前記可動片５中の前記ブレード４側に形成された曲面部５ｄ（前記回動軸部２と同心円の部分）が、前記ブレード４中の前記可動片５側に形成された曲面部４ｂ（前記回動軸部２と同心円の部分）に当接する。これにより、本実施形態１においては、上記の所定の回動角度、例えば１０〜２０度（図１（ｂ）の符号αを参照）の回動角度以外では、前記可動片５は、前記ブレード４に連結されて前記ブレード４と一緒に回動する。
【００２７】
また、本実施形態１では、前記ハンドル３側のピン３ａ（ストッパ）と前記可動片５側のフリップタブ５ｂ（第１のストッパ当接部）は、前記ブレード４が開刃状態から閉刃状態に移行して、前記フリップタブ５ｂが前記ピン３ａに当接したとき（図１に示す状態）、前記突起部５ａを、前記ブレード４の切り欠き部４ａの外部に配置させて前記ブレード４から突出させる（図１参照）ためのものである。すなわち、前記ハンドル３側のピン３ａ（ストッパ）と前記可動片５側のフリップタブ５ｂは、前記ブレード４が閉刃状態に移行したとき、前記突起部５ａを前記ブレード４の切り欠き部４ａの外部に配置して前記ブレード４から突出する状態にするためのものであり、且つ、前記ブレード４の切り欠き部４ａの外部に配置されている前記突起部５ａが閉刃方向（図１の矢印Ｂ方向）に回動して前記切り欠き部４ａ内に収容されてしまうことを阻止するためのものである。
【００２８】
また、本実施形態１では、前記ハンドル３側のピン３ａ（ストッパ）と前記可動片５側の当接部５ｃ（第２のストッパ当接部）は、前記ブレード４が閉刃状態から開刃状態に移行して、前記当接部５ｃが前記ピン３ａに当接したとき、前記突起部５ａを前記ブレード４の切り欠き部４ａ内に配置・収容させる（図３に示す状態）ためのものである。すなわち、前記ハンドル３側のピン３ａ（ストッパ）と前記可動片５側の当接部５ｃは、前記ブレード４が開刃状態に移行したとき、前記突起部５ａを前記ブレード４の切り欠き部４ａ内に配置・収容させるためのものであり、且つ、前記突起部５ａを含む可動片５及び前記ブレード４が図３に示す開刃状態よりもさらに開刃方向（図３の矢印Ａ方向）に回動して前記切り欠き部４ａの外部に出てしまうことを阻止するためのものである。
【００２９】
また、本実施形態１では、前記ブレード４が開刃状態でも閉刃状態でもなく、それらの間を相互に移行している途中の過程においては、前記可動片５は、所定の回動角度（図１（ｂ）のα参照）の範囲外を回動するときは前記ブレード４と共に（前記ブレード４と一緒に）前記ブレード４と連動して回動するが、前記回動角度（図１（ｂ）のα参照）の範囲内を回動するときは前記ブレード４に対して自由に回動することができる。
【００３０】
前記可動片５が所定の回動角度（図１（ｂ）のα参照）の範囲外を回動するときに前記可動片５が前記ブレード４の動きに連動して（前記ブレード４と一緒に）回動するのは、図２Ａ及び図２Ｂに示すように、前記回動角度の範囲外においては、前記可動片５の曲面部５ｄが前記ブレード４の曲面部４ｂに当接して前記可動片５が前記ブレード４に連結されるためである。他方、前記可動片５が、前記回動角度（図１（ｂ）のα参照）の範囲内を回動するときに前記可動片５が前記ブレード４に対して自由に回動し得るのは、図２Ａ及び図２Ｂに示すように、前記可動片５中の前記突起部５ａの近傍部分には、前記ブレード４側の曲面部４ｂ（前記回動軸部２と同心円状の部分）に当接する前記可動片５の曲面部５ｄ（前記回動軸部２と同心円状の部分）が形成されておらず、前記可動片５中の前記突起部５ａ近傍部分とこれに対向する前記ブレード４側部分との間に略扇状の隙間が形成されているためである。
【００３１】
次に本実施形態１の動作を説明する。本実施形態１においては、前記回動軸部２、前記ハンドル３に形成されたピン３ａ（ストッパ）、前記可動片５に形成されたフリップタブ５ｂ、前記可動片５に形成された当接部５ｃ、前記可動片５に形成された曲面部５ｄ、及び前記ブレード４に形成された曲面部４ｂにより、前記ブレード４及び前記可動片５を前記ハンドル３に対し相対的に回動可能とし、前記可動片５を前記ブレード４に対し所定の回動角度（図１（ｂ）のαで示す角度）内だけ相対的に回動可能とする回動機構部が構成されている。本実施形態１では、このような構成により、次のような動作が行われる。
【００３２】
まず、前記ブレード４が前記ハンドル３内に配置又は収容されている閉刃状態における動作を、図１を参照して説明する。開刃状態から閉刃状態に移行し終わった段階では、前記ブレード４は、前記ハンドル３内の奥方向へ、可能な限り移動した状態で、配置又は収容される。この閉刃状態においては、図１に示すように、前記可動片５側のフリップタブ５ｂが前記ハンドル３側のピン３ａ（ストッパ）に当接する。これにより、前記可動片５が、前記ブレード４に対して、図１に示す閉刃状態からさらに閉刃方向（図１（ａ）の矢印Ｂの方向）へと回動することが、阻止される。これにより、前記可動片５の突起部５ａは、前記ブレード４の切り欠き部４ａの外部に、すなわち前記ブレード４の切り欠き部４ａよりも所定の回動角度（図１（ｂ）のαで示す回動角度）だけ開刃方向（図１（ａ）の矢印Ａの方向）へと離れた位置に、配置され保持される。これにより、前記突起部５ａは、前記ブレード４の背側（刃先の反対側）から突出した状態となるので、ユーザーがナイフをポーチやポケットから取り出すとき、前記突起部５ａがこれらのポーチやポケットの一部に当たって前記ブレード４が回動されるようになる。なお、このような閉刃状態において、前記ブレード４は、前記ハンドル３内から容易に外部に出ないように、公知の手段によりロックされる。
【００３３】
次に、前記ブレード４が閉刃状態から開刃状態に移行する途中における動作を、図２Ａ及び図２Ｂを参照して説明する。前述のように、前記所定の回動角度（図１（ｂ）のαで示す角度）外においては、前記可動片５側の曲面部５ｄが前記ブレード４側の曲面部４ｂに当接し、その結果、前記可動片５と前記ブレード４とは互いに連結される。したがって、前記所定の回動角度（図１（ｂ）のαで示す角度）以外では、前記可動片５は、前記ハンドル３に対し、前記ブレード４と一緒に回動する。よって、前記ブレード４が閉刃状態から開刃状態に移行する途中においては、前記可動片５は、基本的に、前記ハンドル３に対して、前記ブレード４と共に、開刃方向（図２Ａ及び図２Ｂの矢印Ａ方向）へと回動し、次に述べる開刃状態（図３参照）へと移行する。
【００３４】
次に、前記ブレード４がハンドル３に対して最大限開かれた開刃状態における動作を、図３を参照して説明する。前記ブレード４が開刃状態へ移行するときは、前記可動片５と前記ブレード４とは、一緒に開刃方向(図３（ａ）の矢印Ａ方向)へと、可能な限り回動する。その過程で、前記可動片５の当接部５ｃが前記ハンドル３のピン３ａ(ストッパ)に当接すると、前記可動片５は、図３に示す状態からさらに開刃方向へと回動することが、阻止される。その結果、前記可動片５の突起部５ａは前記ブレード４の切り欠き部４ａ中に配置、収容される。また、これと同時に、前記可動片５の前記突起部５近傍の端部と前記ブレード４の前記突起部５近傍の端部とが互いに当接する。その結果、前記ブレード４も、図３に示す状態からさらに開刃方向へと回動することが、前記可動片５の当接部５ｃ及び前記ハンドル３のピン３ａ(ストッパ)の存在により、阻止される。なお、この開刃状態において、前記ブレード４は、図３のように前記ハンドル３から最大限開かれた状態から容易に前記ハンドル３方向に回動しないように、公知の手段によりロックされる。
【００３５】
さらに、前記ブレード４が開刃状態から閉刃状態に移行する途中における動作を、図２Ａ及び図２Ｂを参照して説明する。前述のように、前記可動片５は、所定の回動角度（図１（ｂ）のαで示す角度）内においては前記ブレード４に対し相対的に回動可能に構成されているのに対し、前記所定の回動角度（図１（ｂ）のαで示す角度）の範囲外においては前記ハンドル３に対し前記ブレード４と一緒に回動するように構成されている。よって、前記ブレード４が開刃状態から閉刃状態に移行する途中においては、前記可動片５は、基本的に、前記ハンドル３に対して前記ブレード４と共に、閉刃方向（図２Ａ及び図２Ｂの矢印Ｂ方向）へと回動し、前述した閉刃状態（図１参照）へと移行する。
【００３６】
以上説明したように、本実施形態１においては、前記ブレード４及び前記可動片５を前記ハンドル３に対して相対的に回動可能とし、前記可動片５を前記ブレード４に対し所定の回動角度（図１（ｂ）のα参照）の範囲内だけ相対的に回動可能とする回動機構部を備えるようにし、前記回動機構部が、開刃状態では前記突起部５ａが前記ブレード４の切り欠き部４ａの内部に配置又は収容されるように、閉刃状態では前記突起部５ａが前記ブレード４の切り欠き部４ａの外部に配置されるように、前記可動５片を前記ブレード４に対し所定の回動角度αの範囲内だけ相対的に回動できるようにしている。よって、本実施形態１によれば、前記ブレード４が前記ハンドル３から最大限開かれた開刃状態になったとき、前記可動片５の突起部５ａが、前記ブレード４の切り欠き部４ａの内部に配置又は収容できるようになるので、従来の折り畳み式ナイフにおいて生じていた、ユーザーが開刃状態にあるブレード４を上方から親指をブレード４の背側に添えて押し下げようとするときにブレード４側の突起がユーザーの親指に当たってしまうという不都合を、有効に回避できるようになる。
【００３７】
また、本実施形態１においては、前記ブレード４が閉刃状態にあるとき、前記突起部５ａが前記ブレード４の切り欠き部４ａの外部に配置されるようにするために、前記ハンドル３側のピン３ａに当接することにより、前記可動片５（前記ブレード４の切り欠き部４ａの外部に配置されている可動片５）が閉刃方向に回動することを阻止する前記可動片５側のフリップタタブ５ｂと、前記ブレード４が開刃状態にあるとき、前記突起部５ａが前記ブレード４の切り欠き部４ａの内部に配置又は収容されるようにするために、前記ハンドル３側のピン３ａに当接することにより、前記可動片５（前記ブレード４の切り欠き部４ａの内部に配置又は収容されている可動片５）が開刃方向へ回動することを阻止する前記可動片５側の当接部５ｃとを備えるようにした。よって、本実施形態１によれば、前記ブレード４が閉刃状態にある場合には前記突起部５ａを確実に前記ブレード４の切り欠き部４ａの外部に配置させることができると共に、前記ブレード４が開刃状態にある場合には前記突起部５ａを確実に前記ブレード４の切り欠き部４ａの内部に配置又は収容させることができる。
【００３８】
また、本実施形態１においては、前記切り欠き部４ａを、前記ブレード４中の前記回動軸部２の近傍の位置であって刃先の反対側（背側）の位置に形成し、前記突起部５ａを、前記可動片５中の前記切り欠き部４ａと対向する位置に、前記切り欠き部４ａと対応する形状となるように、形成するようにしたので、前記ブレード４が閉刃状態から開刃状態へと移行し終わったとき、前記突起部５ａが前記切り欠き部４ａの内部に確実に配置又は収容されるようになる。
【００３９】
また、本実施形態１においては、前記突起部５ａを、前記ブレードが閉刃状態にあるとき、前記可動片５中の前記ブレード４の切り欠き部４ａよりも開刃方向に所定の回動角度αだけ離れた位置に配置されるように、形成したので、ユーザーが入れ物又はポケットからナイフを取り出すとき、前記突起部５ａが前記入れ物又はポケットの一部に確実に引っ掛かり、その結果、確実に、前記ブレード４が前記ハンドル３の外側に出るように回動されるようになる。
【００４０】
さらに、本実施形態１においては、回動機構部が、（ａ）前記ブレード４が閉刃状態にあるときは、前記可動片５側の突起部５ａを、前記ブレード４の回動軸部２に近い背側に形成された切り欠き部４ａよりも開刃方向に所定の回動角度だけ離れた位置に配置・保持し、（ｂ）前記ブレード４が閉刃状態から開刃状態に移行する途中においては、前記可動片５を、前記可動片５が前記所定の回動角度内にある場合には前記ブレード４に対し相対的に回動可能とすると共に、前記可動片５が前記所定の回動角度以外にある場合には前記ハンドル３に対し前記ブレード４と一緒に回動させ、（ｃ）前記ブレード４がハンドル３に対して最大限開かれている開刃状態においては、前記可動片５の突起部５ａを、前記ブレード４の切り欠き部４ａの内部に配置又は収容させ、（ｄ）前記ブレード４が開刃状態から閉刃状態に移行する途中においては、前記可動片５を、前記可動片５が前記所定の回動角度内にある場合には前記ブレード４に対し相対的に回動可能とすると共に、前記可動片５が前記所定の回動角度以外にある場合には前記ハンドル３に対し前記ブレード４と一緒に回動させるようにしている。よって、本実施形態１によれば、前記ブレード４が前記ハンドル３から最大限開かれた開刃状態になったとき、前記ブレード４側の突起部５ａが前記ブレード４の切り欠き部４ａの内部に配置又は収容されるので、前記ブレード４側の突起がユーザーの親指に当たってしまうという従来の折り畳み式ナイフにおいて生じていた不都合を、有効に回避することができるようになる。
【００４１】
〔第２の実施形態〕
次に本発明の実施形態２を図４を参照して説明する。本実施形態２は、前記実施形態１と基本的構成は同一であるので、以下では異なる部分を中心に説明する。
【００４２】
図４において、１３はハンドル、１４は回動軸部１２により前記ハンドル３に対し回動可能に取り付けられたブレード、１５は前記ハンドル１３と前記ブレード１４との間に配置され回動軸部１２により前記ハンドル３及び前記ブレードに接続された可動片である。
【００４３】
前記可動片１５は、前記ハンドル１３に対して、約０度から約１８０度までの範囲内において回動可能に構成されている。また、前記可動片１５は、前記ブレード１４に対して、所定の回動角度（図１（ｂ）のα参照）の範囲内において相対的に回動可能に、且つ当該角度の範囲外においては前記ブレード１４と一緒に回動するように、構成されている。
【００４４】
また、前記可動片５の一方の端部には突出部１５ａが形成され、他方の端部にはフリップタブ１５ｂ（ハンドル３側に設けられたストッパに当接されて、閉刃状態での可動片１５の閉刃方向への回動を阻止するためのもの）が形成されている。
【００４５】
以上に説明したように、本実施形態２の構成は、前記実施形態１と基本的に同一である。よって、本実施形態２によっても、前述した前記実施形態１について説明した作用効果と同じ作用効果を奏することができる。
【００４６】
以上、本発明の実施形態１，２について説明したが、本発明は前記各実施形態１，２として述べたものに限定されるものではなく、様々な修正及び変更が可能である。例えば、前記実施形態１においては、前記ブレード４が開刃状態にあるときに前記可動片５の突出部５ａが配置、収容される前記ブレード４側の部分を「切り欠き部４ａ」としたが、本発明においては、「切り欠き部」ではなく「窪み部」（凹部）とし、この窪み部の上に前記突出部５ａが配置されるようにしてもよい。
【符号の説明】
【００４７】
１  ナイフ
２，１２  回転軸部
３，１３  ハンドル
３ａ  ピン（ストッパ）
４，１４  ブレード
４ｂ，５ｄ  曲面部
５，１５  可動片
５ａ，１５ａ  突出部
５ｂ，１５ｂ  フリップタブ（第１のストッパ当接部）
５ｃ  当接部（第２のストッパ当接部）
【要約】
【目的】ブレードがハンドルから最大限開かれた開刃状態になったとき、ブレード側の突起がナイフを被切断物に対し上方から押し下げようとするユーザーの親指に当たることを回避できる折り畳みナイフを提供する。
【構成】ブレードに対し所定の回動角度だけ相対的に回動可能であり且つ前記所定の回動角度以外においては前記ハンドルに対して前記ブレードと一緒に回動するように、前記ブレード及び前記ハンドルに取り付けられた可動片と、前記ブレードの回動軸部に近い背側に形成された切り欠き又は窪み部と、前記可動片の前記ブレードの切り欠き又は窪み部に対応する位置及び形状に形成された突起部と、前記可動片を前記ブレードに対し所定角度内だけ相対的に回動可能とする回動機構部とを備えた折り畳みナイフである。
【選択図】    図１【図１】
0006697624.tif 000002
【図２Ａ】
0006697624.tif 000003
【図２Ｂ】
0006697624.tif 000004
【図３】
0006697624.tif 000005
【図４】
0006697624.tif 000006
【図５】
0006697624.tif 000007